(57)【要約】【課題】  無駄なフラッシュを使用することなく、被写体の輝度が不足しているときに警告を発するカメラを提供することを目的とする。【解決手段】  測光部１３は外光輝度を測定し、測距部は被写体までの距離を測定する。測距部により測定された距離に対応して定められた基準判定レベルが測光部１３により測定された輝度（ＢＶ値）より大であると制御部２１が判断する場合、輝度警告灯２０およびディスプレイ部１７にて被写体の輝度が不足している旨の警告を行う。【選択図】  図３
2006003746.tif 000002
【特許請求の範囲】
【請求項１】
外光輝度を測定する測光手段と、
被写体までの距離を測定する測距手段と、
前記測光手段により測定された輝度に基づいて算出された測光値が前記測距手段により測定された距離に対応して定められた輝度を示す基準値より小である場合、被写体の輝度が不足している旨の警告を行う警告手段と、
を備えるカメラ。
【請求項２】
前記基準値は、前記測距手段により測定された距離が短くなるにつれて、低くなるよう設定されていることを特徴とする請求項１に記載のカメラ。
【請求項３】
所定感度以上のフィルムが装填された場合に、所定輝度値以下で基準露光量よりオーバ露光させるとともにフラッシュ発光を禁止する露出制御を行うカメラであって、
外光輝度を測定する測光手段と、
被写体までの距離を測定する測距手段と、
前記測光手段により測定された輝度に基づいて算出された測光値が前記測距手段により測定された距離に対応して定められた輝度を示す基準値より小である場合、被写体の輝度が不足している旨の警告を行う警告手段と、
を備えるカメラ。
【発明の詳細な説明】
【技術分野】
【０００１】
本発明は、被写体の輝度に基づいて警告を行うカメラに関する。
【背景技術】
【０００２】
従来から特許文献１に記載されているとおり、被写体の輝度に基づいて警告を発するカメラが知られている。この特許文献１に記載されているカメラは、低輝度の対象となる暗い被写体であることを判断し、その旨をファインダー内の液晶表示部に表示しているものである。
【０００３】
また、被写体の明るさが低い範囲でも露出不足のおこらないようにしたカメラとして、特開平５−３４７５４号公報（特許文献２）に記載されるように、被写体の輝度がある設定値より低いと判断した場合には内蔵フィルムの感度を低感度に切り換え、露出量が大きくなるように露出制御を行うものが知られている。
【特許文献１】特開平９−１３８４５７号公報
【特許文献２】特開平５−３４７５４号公報
【発明の開示】
【発明が解決しようとする課題】
【０００４】
特許文献２に記載のカメラにおいては、被写体の輝度によって露出の制御を行うものであり、フィルムの感度に応じた露出の制御を行うものではない。従って、フィルムの感度に応じた適切な露出制御を行うことはできない。
【０００５】
これを解決するため、高感度フィルム（例えば、ＩＳＯ感度１６００以上）を装填した場合であって、外光輝度が所定の輝度以下である場合、露出量を増大させることにより、フラッシュを用いることなく撮影を可能とするカメラが考えられる。このカメラにおいては、外光輝度が所定値以下である場合、適正露出値をＥＶ値＝ＢＶ値＋ＳＶ値−ΔＥＶ値とすることにより、適正露出量を得て、フラッシュを用いない撮影が可能となる。
【０００６】
しかしながら、このカメラを用いて単純に被写体の輝度に基づいて露光が十分か否かを判断すると、以下の問題が生ずる。すなわち、カメラの測光素子における受光角は一定であるため、被写体が人物の場合、距離が遠いほど受光範囲に占める背景の比率が大きくなる。夜景シーンでは、主要被写体である人物に照明があたっていることは稀であり、撮影しようとする被写体の背景に光源を含むことが多い。このような夜景シーンを撮影した場合、明るい背景を測光することになる。つまり、明るい背景を基準に露光の調整を行おうとするため、人物の露光量が不足するといった状態となる（図８（ａ）参照）。これに対して、被写体である人物との距離が近いと、受光範囲に占める人物の比率が大きくなり、人物に合わせた露光制御を行うことが可能となる（図８（ｂ）参照）。従って、被写体までの距離に応じた輝度レベルに基づいて警告を行うことが必要である。なお、図８中の点線で囲んでいる部分は測光した部分を示す。図８（ａ）においては、背景を多く含んで測光してしまうが、図８（ｂ）においては、背景をほとんど含まずに被写体を測光することを示している。
【０００７】
以上のことから、特許文献１に記載のカメラは、被写体までの距離を考慮せず露光制御を行うため、撮影するのに本来必要とする被写体の輝度が不足しているのか否かを正確に判断することができない。よって、被写体の輝度不足に基づく適切な警告を行うことができない。
【０００８】
そこで、本発明は、被写体の輝度不足に基づく適切な警告を発するカメラを提供することを目的とする。
【課題を解決するための手段】
【０００９】
上述の課題を解決するために、本発明のカメラは、外光輝度を測定する測光手段と、被写体までの距離を測定する測距手段と、前記測光手段により測定された輝度に基づいて算出された測光値が前記測距手段により測定された距離に対応して定められた輝度を示す基準値より小である場合、被写体の輝度が不足している旨の警告を行う警告手段と、を備えている。
【００１０】
また、本発明のカメラは、所定感度以上のフィルムが装填された場合に、所定輝度値以下で基準露光量よりオーバ露光させるとともにフラッシュ発光を禁止する露出制御を行うカメラであって、外光輝度を測定する測光手段と、被写体までの距離を測定する測距手段と、前記測光手段により測定された輝度に基づいて算出された測光値が前記測距手段により測定された距離に対応して定められた輝度を示す基準値より小である場合、被写体の輝度が不足している旨の警告を行う警告手段と、を備えている。
【００１１】
この発明によれば、被写体までの距離に基づいた基準値により被写体の輝度が不足しているか否かを判断することができ、本来フラッシュが必要ではないのに、輝度不足である旨の警告を発したり、またフラッシュが必要であるのに、輝度不足の警告を発しなかったりすることを防止し、適切な警告を発することのできるカメラを提供することができる。
【００１２】
また、本発明のカメラは、前記基準値は、前記測距手段により測定された距離が短くなるにつれて、低くなるよう設定されているように構成することも好ましい。
【００１３】
この発明によれば、測定した距離が短くなるにつれて、輝度を示す基準値を低くするよう設定することにより、被写体までの距離に応じた適正な輝度を示す基準値を設定することができ、より適切な警告を発することができる。
【発明の効果】
【００１４】
本発明のカメラは、被写体までの距離に基づいた基準値により被写体の輝度が不足しているか否かを判断することができ、本来フラッシュが必要ではないのに、輝度不足である旨の警告を発したり、またフラッシュが必要であるのに、輝度不足の警告を発しなかったりすることを防止し、適切な警告を発することのできるカメラを提供することができる。
【発明を実施するための最良の形態】
【００１５】
本発明は、一実施の形態のために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１６】
本実施形態のカメラ１０について説明する。図１は本発明の第一実施形態に係るカメラの正面側の外観を示す斜視図であり、図２は実施形態に係るカメラの背面側の外観を示す斜視図である。
【００１７】
図１に示すように、本実施形態に係るカメラは、１３５フィルムフォーマットのパトローネを装填するレンズシャッターカメラに適用したものである。このカメラ１０は、その上端にレリーズボタン１１が設けられている。カメラ１０の前面の中央部には、撮影レンズ２を組み込んだ鏡胴３が取り付けられている。この鏡胴３としては、例えば焦点距離２４ｍｍ・開放絞りＦ２．０の単焦点レンズおよびシャッターからなるオートフォーカス動作が可能な撮影レンズ鏡胴が用いられる。カメラ１０の上部にはファインダ５、フラッシュ部１５、投光部１８及び受光部１９が設けられている。投光部１８及び受光部１９は、例えば三角測量の原理に基づいて被写体までの距離を測定する測距部を構成している。
【００１８】
また、カメラ１０には、測光部１３が設けられている。測光部１３は、撮影視野内の外光輝度を測定する測光手段として機能する。この測光部１３は、例えば中央重点平均測光センサとして一つのＳＰＤデバイス（赤外カットフィルタを光路上に内蔵したもの）を備えたものが用いられる。このＳＰＤデバイスは近似的に撮影レンズ光学系の光軸上に向けられている。
【００１９】
カメラ１０の内部の撮影レンズ２の光軸上には、シャッター９が組み込まれている。シャッター９は、フィルムに必要な露光量を与える絞りばね兼用セクターを備えて構成されている。このシャッター９としては、例えば、開放時Ｆ２．０のＦ値を有し、かつ、制御範囲Ｅv ２〜１６[EV]の２枚羽根のレンズシャッターが用いられる。
【００２０】
また、図２に示すディスプレイ部１７には、撮影モードや各種警告等が表示されることになる。また、輝度警告灯２０は、輝度が不足していることを点灯することにより警告する。
【００２１】
次に、このカメラ１０のブロック構成について説明する。図３は、カメラ１０のブロック構成図である。カメラ１０は、レリーズボタン１１、フィルム感度検知部１２、測光部１３（測光手段）、メモリ部１４、フラッシュ部１５、シャッター部１６、ディスプレイ部１７、投光部１８（測距手段）、受光部１９（測距手段）、輝度警告灯２０（警告手段）、制御部２１を備えている。以下、各部について説明する。
【００２２】
レリーズボタン１１は、ユーザが被写体を撮影しようとするときに押下するボタンである。このレリーズボタン１１が押下されるとシャッター部１６がシャッターの開閉動作を行う。
【００２３】
フィルム感度検知部１２は、フィルム装填部（図示せず）に装填されたフィルムの感度を検知するフィルム感度検知手段である。フィルム感度検知部１２は、フィルムパトローネに示されるＣＡＳコードのうち感度をあらわす部分を読取り、読取った情報を制御部２１に出力する。制御部２１では、出力された情報に基づいてフィルム感度を認識することができる。フィルム感度はＩＳＯ（International Organization for Standardization）で定められている。なお、ユーザがマニュアル操作においてフィルム感度を設定するようにしてもよい。
【００２４】
測光部１３は、外光輝度を測定する測光手段である。測光部１３が測定した輝度を示す情報を制御部２１に出力し、制御部２１では、外光輝度をＡＰＥＸ単位であるＢＶ値に変換する。
【００２５】
メモリ部１４は、被写体までの距離に応じた輝度判定レベル、および補正制御テーブルを記憶するものである。
【００２６】
まず、メモリ部１４に記憶される輝度判定レベルについて説明する。図４は、被写体までの距離に対応した輝度判定レベルを記憶する管理テーブルを示す図である。図４によると、フラッシュを用いずに撮影することのできる被写体の輝度において、測距部により測定された距離に対応した輝度判定レベルがＢＶ値（brightness value）で記憶されている。なお、ＢＶ値とは、ＡＰＥＸ単位により表される輝度を示す数値情報である。
【００２７】
ここでは、測距結果が４メートル未満のときには、測光部１３が測光した輝度に基づいて得られた測光値（ＢＶ値）が−２ＢＶ未満である場合、警告を出力することを示している。また、測距結果が４メートル以上のときには、測光部１３が測光した光量に基づいて得られた測光値（ＢＶ値）が０ＢＶ未満である場合、警告を出力することを示している。
【００２８】
次に、補正制御テーブルについて説明する。補正制御テーブルは、ＢＶ値とΔＥＶ値とを対応付けて記憶する制御情報である。ΔＥＶ値とは、露出基準値を補正するための露光補正値である。露出基準値は、例えばＢＶ値にＡＰＥＸ単位であるＳＶ値（Film Speed Value）を加算することにより算出される。そして、露出目標値であるＥＶ値（Exposure Value）は、ＢＶ値にＳＶ値を加算したものから露光補正値ΔＥＶを減じることにより算出される。
【００２９】
図５は、その補正制御テーブルを模式的に表した概念図である。図５に示すように、ＢＶ値とΔＥＶ値とが対応付けられている。この補正制御テーブルに基づいて、ＢＶ値に対応したΔＥＶ値が抽出される。そして、ＢＶ値＋ＳＶ値により算出された露出基準値からΔＥＶ値を減算することにより、補正された露出目標値ＥＶが算出される。
【００３０】
フラッシュ部１５は、測光部１３が測定して外光輝度に基づいて自動的に、またはユーザの操作に基づいて、被写体に光を照射するものである。
【００３１】
シャッター部１６は、制御部２１による露出制御（シャッタースピードおよびＦ値（レンズ絞り））に基づいて、Ｆ値で示された径を開口し、シャッタースピードで示された時間経過すると閉口する動作を行うものであり、シャッター部１６が開口している間レンズを通して得た画像はフィルムに転写される。
【００３２】
ディスプレイ部１７は、現在時刻、撮影枚数、およびフラッシュを用いない撮影モードであるＮＰモード（ナチュラルフォトモード）であることを表示する部分である。さらに、フラッシュが外光輝度に応じて使用する自動モードであるか、フラッシュの使用を禁止するモードであるか、またはフラッシュを常時使用するモードであるか、のいずれかを表示する部分である。その具体例を図に示す。図６は、ディスプレイ部１７の具体例を示す図である。ディスプレイ部１７は、フラッシュにおけるオートモードマーク１７１、フラッシュ使用モードマーク１７２、フラッシュ不可モードマーク１７３、ＮＰモードマーク１７４、現在時刻マーク１７５、撮影枚数マーク１７６を表示可能に構成されている。本実施形態では、ＩＳＯ感度１６００以上のフィルムが装填されると、ＮＰモードマーク１７４が点灯して、フラッシュを用いずに露出量を増大した露出制御による撮影モードとなることを示す。
【００３３】
投光部１８は、被写体までの距離を測定するためのものであり、被写体に対して光を照射するものである。
【００３４】
受光部１９は、投光部１８が照射した光が被写体から反射した光に基づいて被写体までの距離を算出するものである。具体的には、受光部１９は、受光した光に基づいた光量を示す情報を制御部２１に出力し、制御部２１は、入力された光量を示す情報に基づいて被写体までの距離を算出する。これら投光部１８、受光部１９から測距部が構成されている。
【００３５】
輝度警告灯２０は、測光部１３により測定されて得られた輝度が、距離に応じて定められている輝度判定レベルを満たしていないとき、点灯するものである。輝度警告灯２０が点灯することにより、ユーザに露光不足である旨を知らしめることができる。
【００３６】
制御部２１は、レリーズボタン１１から受光部１９と総括的に制御するものであり、後述するカメラ１０の動作を示すフローチャートを実行する。より詳細には、レリーズボタン１１の押下を検知すると、シャッター部１６を動作させるよう指示を出力する。また、フィルム感度検知部１２からの情報に基づいてフィルム感度を判断する。また、測光部１３から出力された被写体の光量を示す情報に基づいてＢＶ値を算出する。また、レリーズボタン１１が半押しされた状態を検知すると、測距部を動作させる。さらに、ＩＳＯ感度１６００以上のフィルムが装填された場合においては、外光輝度が所定輝度値の範囲にある場合、フラッシュを用いずに、露出量を増大させた露出制御を行う露出制御手段として機能する。
【００３７】
次に、カメラ１０の動作プログラムに従った動作を説明する。図７は、カメラ１０の動作を示すフローチャートである。
【００３８】
まず、制御部２１は、ユーザの操作によりレリーズボタン１１が押下されたか否かを判断する（Ｓ１）。制御部２１は、レリーズボタン１１が押下されていないと判断すると、そのまま待機状態に移行する。レリーズボタン１１が押下されたと判断すると、制御部２１は測光部１３に指示を出力し、測光部１３は外光輝度を測定する。測光部１３が測定した輝度に基づいて制御部２１はＢＶ値を算出する（Ｓ２）。
【００３９】
次に、フィルム感度検知部１２が検知したフィルム感度がＩＳＯ１６００以上の感度を示すものであるかを、制御部２１は判断する（Ｓ３）。ＩＳＯ１６００以上の感度のフィルムが装填されていることを制御部２１が判断すると、測距部に被写体までの距離を測定するよ指示を出力する。測距部は被写体までの距離を測定する（Ｓ４）。測距部における受光部１９が受光した光に基づいて制御部２１は被写体までの距離を算出する。
【００４０】
制御部２１は、算出した距離があらかじめ定めた値以上（本実施形態では４メートル以上）であるか否か判断する（Ｓ５）。算出した距離があらかじめ定めた値以上であると、制御部２１が判断すると、輝度の判定基準を被写体までの距離に対応する輝度判定レベルとする（Ｓ６）。算出した距離があらかじめ定めた値未満であると、制御部２１が判断すると、輝度の判定基準を被写体までの距離に対応する輝度判定レベルとする（Ｓ７）。図４における具体例では、被写体までの距離が４メートル以上である場合は、輝度判定レベルを０ＢＶとし、４メートル未満である場合は、輝度判定レベルを−２ＢＶとする。
【００４１】
また、Ｓ３において、フィルム感度がＩＳＯ１６００未満であると、制御部２１が判断した場合は、被写体までの距離を測定し（Ｓ８）、Ｓ１１に進む。なお、Ｓ４およびＳ８における測距により得た情報は、撮影時におけるピント合わせなどに使用される。
【００４２】
そうして決定された輝度判定レベルと、測光部１３が測定した光量に基づいて算出されたＢＶ値と、を制御部２１は比較し、測定して得られたＢＶ値が輝度判定レベル以上であるか否かを判断する（Ｓ９）。ここで制御部２１は、測定して得られたＢＶ値が輝度判定レベル未満であると判断すると、被写体の輝度が不足していると判断する。そして、制御部２１は、輝度警告灯２０が点灯するよう指示を出力する。指示を受けると、輝度警告灯２０は点灯し、ユーザに対して警告する（Ｓ１０）。さらに、輝度警告灯２０の点灯とともにディスプレイ部１７のフラッシュ使用モードマーク１７２が点滅する。また、Ｓ７において測定して得られたＢＶ値が輝度判定レベル以上であると判断すると、警告をすることなく、次にステップに進む。
【００４３】
その後、ユーザの操作によりレリーズボタンが全押しされたか否かを制御部２１は判断する（Ｓ１１）。ユーザによりレリーズボタンが半押し状態から全押し状態となったことを、制御部２１が判断すると、輝度警告灯２０を消灯させるとともにフラッシュ使用モードマーク１７２の点滅動作を停止し、シャッター部１６に対してシャッター動作を行うよう指示を出力する。この指示を受けたシャッター部はシャッター動作を行い、撮影を行う（Ｓ１２）。なお、ここでの撮影処理では、所定感度以上のフィルムが装填されている場合に、所定輝度値以下では、基準露光量よりオーバ露光させるとともにフラッシュ発光を禁止する露出制御を行う。すなわち、ＩＳＯ感度１６００以上のフィルムが装填されていた場合は、フラッシュを用いることなく、露出量を増大させた露出制御による撮影を行う。具体的には、図５に示すとおり、ＢＶ値が所定範囲にある場合（本実施例では０＜ＢＶ値＜３の範囲）、ΔＥＶ値（＋２ＥＶ）を用いた露出補正を行って、露出量を増大させた露出制御による撮影が実行される。これにより、現実の光による撮影を可能として雰囲気のある撮影を実現できる。
【００４４】
また、Ｓ３においてＩＳＯ感度１６００以上でないフィルムが装填されたと判断された場合で、かつフラッシュをオートモードとしている設定がされていた場合では、ＢＶ値に応じてフラッシュが自動発光して撮影がされることになる（Ｓ１２）。
【００４５】
また、レリーズボタンの半押し状態から元に戻された状態となったことを、制御部２１が判断すると、輝度警告灯２０を消灯するとともに、フラッシュ使用モードマーク１７２の点滅動作を停止する（Ｓ１３）。
【００４６】
以上説明したように、本実施形態に係るカメラ１０によれば、被写体までの距離に応じて輝度判定レベルを切り換えて、必要に応じて露光不足である旨を警告することができる。
【００４７】
すなわち、測距部により測定された距離に対応して定められた輝度判定レベルが測光部１３により測定されて得られたＢＶ値より大である場合、被写体の輝度が不足している旨の警告を行うよう輝度警告灯２０およびディスプレイ部１７にて表示する。これにより、被写体までの距離に基づいた基準値により被写体の輝度が不足しているか否かを判断することができ、本来フラッシュが必要ではないのに、輝度不足である旨の警告を発したり、またフラッシュが必要であるのに、輝度不足の警告を発しなかったりすることを防止し、適切な警告を発することのできるカメラを提供することができる。特に、フラッシュを用いずに露出量を増大させた露出制御により撮影を行うことができるカメラにおいては有効である。
【００４８】
また、基準値は、測距部により測定された距離が短くなるにつれて、低くなるよう設定されている。これにより、測定した距離が短くなるにつれて、輝度を示す基準値を低くするよう設定することにより、被写体までの距離に応じた適正な輝度を示す基準値を設定することができ、より適切な警告を発することができる。
【図面の簡単な説明】
【００４９】
【図１】本発明の実施形態に係るカメラ１０の正面側の外観を示す斜視図である。
【図２】本発明の実施形態に係るカメラ１０の背面側の外観を示す斜視図である。
【図３】カメラ１０のブロック構成図である。
【図４】被写体までの距離に対応した輝度判定レベルを示す管理テーブルを示す図である。
【図５】補正制御テーブルを模式的に表した概念図である。
【図６】ディスプレイ部１７の具体例を示す図である。
【図７】カメラ１０の動作を示すフローチャートである。
【図８】（ａ）は被写体が遠い場合における背景が占める割合を示す説明図であり、（ｂ）は被写体が近い場合における背景が占める割合を示す説明図である。
【符号の説明】
【００５０】
１０・・・カメラ、１１・・・レリーズボタン、１２・・・フィルム感度検知部、１３・・・測光部、１４・・・メモリ部、１５・・・フラッシュ部、１６・・・シャッター部、１７・・・ディスプレイ部、１８・・・投光部、１９・・・受光部、２０・・・輝度警告灯、２１・・・制御部。
【図１】
2006003746.tif 000003
【図２】
2006003746.tif 000004
【図３】
2006003746.tif 000005
【図４】
2006003746.tif 000006
【図５】
2006003746.tif 000007
【図６】
2006003746.tif 000008
【図７】
2006003746.tif 000009
【図８】
2006003746.tif 000010